(57)【特許請求の範囲】
【請求項１】
送信側からデータセルが入力される入側回線に対しインタフェースを行う入側回線インタフェース手段と、受信側へデータセルを出力する出側回線に対しインタフェースを行う出側回線インタフェース手段と、前記入側回線インタフェース手段と前記出側回線インタフェース手段とが授受するデータセルを交換するスイッチ手段とを備える交換装置において、
前記出側回線インタフェース手段は、所定の出側情報を前記入側回線インタフェース手段に与え、
前記入側回線インタフェース手段は、入側回線から、送信側との間で情報の授受を行うための送信側情報授受セルが与えられると、前記出側回線インタフェース手段から与えられた所定の出側情報を少なくとも有する送信側情報授受セルを生成して返送する
ことを特徴とする交換装置。
【請求項２】
前記出側回線インタフェース手段は、所定の出側情報を有する前記入側回線インタフェース手段宛の出側情報セルを生成して前記スイッチ手段に与える出側情報セル生成部を有し、
前記入側回線インタフェース手段は、前記スイッチ手段から前記出側情報セルが与えられると、その情報セルに有する所定の出側情報を抽出する出側情報抽出部を有する
ことを特徴とする請求項１に記載の交換装置。
【請求項３】
前記所定の出側情報は、前記出側回線インタフェース手段を介して、前記スイッチ手段から出側回線へ流すことができるデータセルの許容レートの情報であることを特徴とする請求項１又は２に記載の交換装置。
【請求項４】
前記出側回線インタフェース手段は、
自手段に対して前記スイッチ手段が交換できるデータセルのレートを計算する交換レート計算部と、
自手段が出側回線に対して出力するデータセルのレートを制御する出力レート制御部とを有し、
前記交換レート計算部が計算した交換レートと、前記出力レート制御部が制御する現在の出力レートとのうち、小さい方のレートを前記許容レートとする
ことを特徴とする請求項３に記載の交換装置。
【請求項５】
前記出力レート制御部は、出側回線から、受信側との間で情報の授受を行うための受信側情報授受セルが与えられると、その受信側情報授受セルに有する受信側情報に少なくとも基づいて出力レートを決定することを特徴とする請求項４に記載の交換装置。
【請求項６】
前記出力レート制御部は、
出側回線から受信側情報授受セルが与えられると、その受信側情報授受セルから受信側情報を抽出する受信側情報抽出部と、
前記受信側情報抽出部が抽出した受信側情報に少なくとも基づいて出力レートを計算する出力レート計算部と、
前記出力レート計算部が計算した出力レートの情報を少なくとも有する受信側情報授受セルを生成する受信側情報授受セル生成部と、
前記スイッチ手段から与えられたデータセルと前記受信側情報授受セル生成部が生成した受信側情報授受セルとを、前記出力レート計算部が計算した出力レートで出側回線に出力するセル出力部と
を有することを特徴とする請求項５に記載の交換装置。
【請求項７】
前記出側回線インタフェース手段は、前記スイッチ手段から入力されるデータセルのレートを計測する入力レート計測部を有し、
前記出力レート計算部は、前記受信側情報抽出部が抽出した受信側情報と前記入力レート計測部が計測した入力レートとに基づいて、出側回線に対して出力するデータセルのレートを計算する
ことを特徴とする請求項６に記載の交換装置。
【請求項８】
前記入側回線インタフェース手段は、
入側回線から送信側情報授受セルが与えられると、その送信側情報授受セルから送信側情報を抽出する送信側情報抽出部と、
前記送信側情報抽出部が抽出した一部又は全部の送信側情報に、前記出側回線インタフェース手段から与えられた前記許容レートの情報を少なくとも付した情報を有する送信側情報授受セルを生成する送信側情報授受セル生成部と、
送信側情報授受セル生成部が生成した送信側情報授受セルを入側回線に挿入して返送するセル挿入部と
を有することを特徴とする請求項３〜７のいずれかに記載の交換装置。
【請求項９】
前記入側回線インタフェース手段は、入側回線から入力されるデータセルの流量を監視し、その流量が前記出側回線インタフェース手段から与えられた許容レートを越えた場合には、その越えた流量分のデータセルを廃棄する流量監視制御部を有することを特徴とする請求項３〜８のいずれかに記載の交換装置。
【請求項１０】
前記送信側情報授受セル、及び又は、前記受信側情報授受セルは、ＡＢＲサービスを提供する回線で授受される資源管理用セルであることを特徴とする請求項１〜９のいずれかに記載の交換装置。
【発明の詳細な説明】
【０００１】
【発明の属する技術分野】
本発明は、交換装置に関するものであり、例えば、ＡＢＲサービスを提供するＡＴＭネットワークで、仮想的にＡＢＲサービスの送信端末および受信端末としてふるまうＡＴＭ交換装置に適用して好適なものである。
【０００２】
【従来の技術】
ＡＢＲ（Available Bit Rate）サービスは、呼接続時に申告し取り決められたサービスの最小レートであるＭＣＲ（ Minimum Cell Rate）以下の通信品質を保証し、ネットワークリソースに余裕があれば呼接続時に申告し取り決められたサービスの最大レートであるＰＣＲ（Peak Cell Rate）以下の速度での通信を提供するサービスである。
【０００３】
ネットワークリソースの状況により最大ＰＣＲまで送信端末の送出レートを動的に増減するために、送信端末と受信端末間でリソースマネージメントセル（ＲＭセル）とよばれるトラヒック制御用セルをやり取りすることによりＡＢＲサービスを提供する。
【０００４】
ＡＢＲサービスにおいては、送信端末から決まった数のデータセル送出毎に順方向にフォワードＲＭセル（ＦＲＭセル）を送出する。受信端末はＦＲＭセルを受け取るとこれをバックワードＲＭセル（ＢＲＭセル）として逆方向に送信端末に向けて送信する。この際、受信端末は順方向データセル受信によって得られるネットワークの輻輳情報をＢＲＭセルに付加して送信する。またＢＲＭセルは途中のＡＴＭ交換機などの装置を通過する際に、それらの装置が許容できるレートを明示的にＢＲＭセルに書き込む場合がある。送信端末はこのＢＲＭセルを受信し、ネットワークの輻輳状態を識別して送出レートを制御する。
【０００５】
仮想的に送信端末および受信端末としてふるまうＡＴＭスイッチとは、上記の送信端末および受信端末の動作をＡＴＭ交換装置が行うことにより、送信端末と受信端末間の制御ループ遅延を小さくすることを目的としたスイッチ構成であり、ＶＤ／ＶＳ（Virtual Destination / Virtual Source）と呼ばれる。
【０００６】
ここで、従来のＶＤ／ＶＳ構成のＡＴＭ交換装置の従来例として図２に示すようなものがある。図２では、入力回線ＩＦ部２００から入力した順方向のＦＲＭセルはスイッチ部（ＳＷ）２１０を通過し出側回線ＩＦ部２２０で抽出される。抽出されたＦＲＭセルはＢＲＭセルとして逆方向へ折り返され、再度ＳＷ２１０を通過し入力回線ＩＦ部２００を通って出力される。出側回線ＩＦ部２２０では規定されたデータセル送出毎に順方向にＦＲＭセルを生成出力し、また逆方向からのＢＲＭセルを抽出する。
【０００７】
図３はＲＭセルフォーマットを示す図である。ＲＭセルのペイロードは１バイトのプロトコル識別子、各１ビットのＤＩＲ、ＢＮ、ＣＩ、ＮＩ、ＲＡ、各２バイトのＥＣＲ（Explicit Cell Rate）、ＣＣＲ（ Current Cell Rate）、ＭＣＲ（ Minimum Cell Rate）、各４バイトのＱＬ、ＳＮ、および最終１０ビットのペイロードに対するＣＲＣからなる。ＤＩＲは方向指示ビット、ＢＮはＲＭセルが受信端末あるいはネットワーク装置で生成されたことを示すビット、ＣＩは輻輳指示ビット、ＮＩは送信端末の送出レート増加禁止を示すビット、ＲＡはアクノリッジビットを示す。ＥＣＲは送信端末の送出レートを明示的に指示するレート、ＣＣＲは現在の送出レート、ＭＣＲは最小セルレートを示す。また、ＱＬはキュー長、ＳＮはシーケンス番号を示す。ＲＡ、ＱＬ、ＳＮはＡＢＲサービスでは使用されない。
【０００８】
前述した図２において、出側回線ＩＦ部２２０で受信された順方向のＦＲＭセルから抽出されたＣＩ、ＮＩ、ＣＣＲ、ＭＣＲが生成ＢＲＭセル中に書込まれる。また、ＥＣＲ計算部２２３ではスイッチ部２１０の輻輳状態をモニタし、自装置で許容可能なレートを計算する。ＢＲＭセル生成部２２２はこの許容レートとＡＣＲ計算部２２７で計算されたＡＣＲをもとに小さいほうの値を生成ＢＲＭセル中のＥＣＲに書込む。その他、ＤＩＲは１、ＢＮは０とされる。このように生成されたＢＲＭセルは順方向ＦＲＭセルの折り返しＢＲＭセルとして出力される。
【０００９】
一方、出側回線ＩＦ部２２０で受信された逆方向のＢＲＭセルから抽出されたＣＩ、ＮＩをもとに、ＡＣＲ計算部２２７でシェーパ部２２９の読出しレートであるＡＣＲ（ Allowed Cell Rate）を計算する。このＡＣＲ計算部２２７では、ＡＣＲがＰＣＲおよび逆方向ＢＲＭセルから抽出されたＥＣＲを越えないように制御される。ＡＣＲ計算部２２７で計算されたＡＣＲはシェーパ部２２９の読出しに使用されるとともに、ＦＲＭセルを生成する際、ＣＣＲにＡＣＲが書込まれシェーパ部２２９によりＦＲＭセルが出力される。このときＤＩＲが０、ＣＩ、ＮＩはともに０、ＥＣＲはＰＣＲ、ＭＣＲはＭＣＲとする。
【００１０】
以上のような動作により、出側回線ＩＦ部２２０のＦＲＭセル抽出部２２１、ＢＲＭ生成部２２４およびＥＣＲ計算部２２３によりＦＲＭセルを折り返すＶＤ動作を実現し、ＢＲＭセル抽出部２２６、ＦＲＭセル生成部２２８およびＡＣＲ計算部２２７、シェーパ部２２９により順方向ＦＲＭセル生成、逆方向ＢＲＭセル受信、および送出レート制御を行うＶＳ動作を実現している。
【００１１】
【発明が解決しようとする課題】
ＡＢＲサービスでは、送信端末と受信端末間でＲＭセルをやり取りすることで送信端末の送出レートを制御している。従って、仮にネットワークの輻輳により繁雑にＲＭセルが廃棄されてしまうような場合、送信端末と受信端末間での情報更新頻度が減り、効果的なトラヒック制御を行うことが難しくなる。
【００１２】
すなわち、上述した従来の交換装置には、入側回線ＩＦ部２００に入力した順方向ＦＲＭセルはスイッチ部２１０を通って出側回線ＩＦ部２２０で折り返される構成のため、スイッチ部２１０が輻輳状態になるとスイッチ部２１０でＦＲＭセルが廃棄される場合が発生する。このとき当然逆方向のＢＲＭセルは生成されないため、トラヒック制御に支障をきたすという課題があった。
【００１３】
さらに、前述の課題の説明では、ＡＢＲサービスを提供し、ＲＭセルをやり取りしてトラヒック制御を行うＡＴＭ交換装置に基づいて説明したが、ＡＢＲサービスに限定することなく、また、ＲＭセルに限定することなく、すなわち、出側回線ＩＦ部２２０で得られる所定の出側情報を依頼するためのセルを、入側回線ＩＦ部２００から出側回線ＩＦ部２２０にスイッチ部２１０を介して与え、その依頼セルに基づいて出側回線ＩＦ部２２０から入側回線ＩＦ部２００に所定の出側情報を有するセルをスイッチ部２１０を介して与え、入側回線ＩＦ部２００でその所定の出側情報を有するセルを返送するものであれば、同様な課題を有する。
【００１４】
そのため、スイッチ部が輻輳状態になっても、送信側に対し情報授受セルを授受できる交換装置が求められていた。
【００１５】
【課題を解決するための手段】
かかる課題を解決するため、本発明は、送信側からデータセルが入力される入側回線に対しインタフェースを行う入側回線インタフェース手段と、受信側へデータセルを出力する出側回線に対しインタフェースを行う出側回線インタフェース手段と、前記入側回線インタフェース手段と前記出側回線インタフェース手段とが授受するデータセルを交換するスイッチ手段とを備える交換装置において、（１）前記出側回線インタフェース手段は、所定の出側情報を前記入側回線インタフェース手段に与え、（２）前記入側回線インタフェース手段は、入側回線から、送信側との間で情報の授受を行うための送信側情報授受セルが与えられると、前記出側回線インタフェース手段から与えられた所定の出側情報を少なくとも有する送信側情報授受セルを生成して返送することを特徴とする。
【００１６】
【発明の実施の形態】
（Ａ）  第１の実施形態
以下、本発明による交換装置を、ＡＢＲサービスを提供するＡＴＭネットワークでＶＤ／ＶＳ構成をとるＡＴＭ交換装置に適用した第１の実施形態について、図面を参照しながら詳述する。
【００１７】
（Ａ−１）  構成の説明
図１は、この実施形態のＡＴＭ交換装置の構成を示すブロック図である。図１において、このＡＴＭ交換装置は、ＦＲＭ抽出部１０１とＢＲＭ生成部１０２とシェーパ部１０３とＴＭ抽出部１０４とを備えた入側回線ＩＦ部１００と、スイッチ部１１０と、ＢＲＭ抽出部１２１とＦＲＭ生成部１２２とシェーパ部１２３とＴＭ生成部１２４とセレクタ部１２５とＡＣＲ計算部１２６とＥＣＲ計算部１２７とを備えた出側回線ＩＦ部１２０とを有する。
【００１８】
まず、入側回線ＩＦ部１００の各構成要素について説明する。
【００１９】
ＦＲＭ抽出部１０１は、図示しない送信端末から順方向ＦＲＭセルを受信した際に、ＦＲＭセルペイロードを抽出し、抽出データをＢＲＭ生成部１０２に出力するものである。
【００２０】
ＢＲＭ生成部１０２は、ＦＲＭ抽出部により抽出されたＦＲＭセルペイロード及び出側回線ＩＦ部１２０からＴＭセルにより送信されたＥＣＲにより逆方向ＢＲＭセルを生成するものである。
【００２１】
シェーパ部１０３は、逆方向データセル流にＢＲＭセルを挿入するためのバッファである。
【００２２】
ＴＭ抽出部１０４は、出側回線ＩＦ部１２０から出力されたＴＭセルを抽出し、抽出データをＢＲＭ生成部１０２に出力するものである。
【００２３】
次に、出側回線ＩＦ部１２０の各構成要素について説明する。
【００２４】
ＢＲＭ抽出部１２１は、逆方向ＢＲＭセルを受信した際に、ＢＲＭセルペイロードを抽出し、抽出データをＡＣＲ計算部１２６に出力するものである。
【００２５】
ＦＲＭ生成部１２２は、ＡＣＲ計算部１２６により計算されたＡＣＲをＣＣＲとして順方向ＦＲＭセルを生成するものである。
【００２６】
シェーパ部１２３は、スイッチ部１１０から入力するセル流をバッファに保存し、ＡＣＲ計算部１２６で計算されたＡＣＲでセルを読出すと同時に、規定セル数出力毎にＦＲＭセルを挿入するものである。
【００２７】
ＴＭ生成部１２４は、ＥＣＲ計算部１２７で計算されたＥＣＲとＡＣＲ計算部１２６で計算されたＡＣＲの小さい方を入側回線ＩＦ部１００へ通知するためのＴＭセルを生成するものである。
【００２８】
セレクタ部１２５は、入力する逆方向セルとＴＭセルを選択してスイッチ部１１０に出力するものである。
【００２９】
ＡＣＲ計算部１２６は、逆方向ＢＲＭセルから抽出されたＣＩ、ＮＩ、ＥＣＲよりシェーパ部１２３の読出しレートであるＡＣＲ（ＣＣＲ）を計算するものである。
【００３０】
ＥＣＲ計算部１２７は、スイッチ部１１０の輻輳状態をモニタし、輻輳状態により自装置が許容可能な伝送速度（スイッチ部１１０が出側回線ＩＦ部１２０に対し交換可能な伝送速度）を計算するものである。
【００３１】
一方、スイッチ部１１０は、セルのヘッダ部に付されたアドレス情報に基づいて、入側回線ＩＦ部１１０及び出側回線ＩＦ部１２０が授受するセルを交換するものである。
【００３２】
（Ａ−２）  動作の説明
このような構成を有するＡＴＭ交換装置の動作について、図１を参照しながら説明する。
【００３３】
出側の回線（図中右側の回線）から、逆方向ＢＲＭセルが到来すると、ＢＲＭ抽出部１２１によって、そのＢＲＭセルペイロードが抽出されてＡＣＲ計算部１２６に出力され、ＡＣＲ計算部１２６では、その抽出データに有するＣＩ、ＮＩ、ＥＣＲによりシェーパ部１２３の読出しレートであるＡＣＲ（ＣＣＲ）が計算される。なお、計算されたＡＣＲは、ＦＲＭ生成部１２２とシェーパ部１２３とＴＭ生成部１２４とに与えられる。
【００３４】
ここで、ＦＲＭ生成部１２２では、与えられたＡＣＲをＣＣＲとして順方向ＦＲＭセルが生成されてシェーパ部１２３に与えられ、シェーパ部１２３では、与えられたＡＣＲのレートで保存されたスイッチ部１１０からの順方向データセルが読出されると共に、規定セル数出力毎にＦＲＭセルが挿入されることになる。
【００３５】
また、ＥＣＲ計算部１２７では、スイッチ部１１０の輻輳状態がモニタされ、輻輳状態により自装置が許容可能な伝送速度であるＥＣＲが計算され、そのＥＣＲがＴＭ生成部１２４に与えられる。
【００３６】
そこで、ＴＭ生成部１２４では、ＥＣＲ計算部１２７で計算されたＥＣＲとＡＣＲ計算部１２６で計算されたＡＣＲの小さい方がＥＣＲデータとして書き込まれたＴＭセルが生成され、そのＴＭセルがスイッチ部１１０を介して入側回線ＩＦ部１００へ通知されることになる。
【００３７】
一方、入側回線ＩＦ部１００では、スイッチ部１１０からＴＭ生成部１２４で生成されたＴＭセルが与えられると、ＴＭ抽出部１０４によって、そのＴＭセルのデータが抽出されてＢＲＭ生成部１０２に与えられる。
【００３８】
ここで、入側の回線（図中左側の回線）から、順方向ＦＲＭセルが到来すると、ＦＲＭ抽出部１０１によって、そのＦＲＭセルペイロードが抽出されてＢＲＭ生成部１０２に出力される。
【００３９】
そこで、ＢＲＭ生成部１０２では、ＦＲＭ抽出部１０１により抽出されたＦＲＭセルペイロードと、ＴＭ抽出部１０４により抽出されたＥＣＲとから、前述した従来例と同様に逆方向ＢＲＭセルが生成されてシェーパ１０３に与えられ、シェーパ部１０３では、スイッチ部１１０からの逆方向データセルに与えられたＢＲＭセルが挿入されて入側の回線に出力されることになる。
【００４０】
（Ａ−３）  効果の説明
以上のように、第１の実施形態によれば、入側回線ＩＦ部１００でＦＲＭセルを抽出するため、送信端末とのＲＭセルのやり取りはスイッチ部１１０の輻輳状態に関係なく安定に行われるため、効果的なトラヒック制御が実現できる。また、スイッチ部１１０は必要最低限のＴＭセルのみ通過し不要なＲＭセルは通過しないため、スイッチ部１１０の負荷低減も実現できる。
【００４１】
また、第１の実施形態は、ＡＢＲサービスのように送信端末および受信端末間でＲＭセルをやり取りし送信端末の送出レートを制御するといった複雑なトラヒック制御を必要とするサービスだけでなく、ＭＣＲ以下での通信品質を保証するが送信端末および受信端末間でＲＭセルのやり取りをしないといったサービスにも適用できる。この場合セル流にＲＭセルが存在しないため、本装置ではＦＲＭ抽出部１０１、ＢＲＭ生成部１０２、ＢＲＭ抽出部１２１、ＦＲＭ生成部１２２の機能を停止すればよい。このようなサービスでは送信端末は最大ＰＣＲでデータセル送信する場合があるが、本装置でその通信速度を許容できない場合はスイッチ部１１０またはシェーパ部１２３でセル廃棄が発生する。
【００４２】
（Ｂ）  第２の実施形態
以下、本発明による交換装置を、ＡＢＲサービスを提供するＡＴＭネットワークでＶＤ／ＶＳ構成をとるＡＴＭ交換装置に適用した第２の実施形態について、図面を参照しながら詳述する。
【００４３】
（Ｂ−１）  構成の説明
図４は、この実施形態のＡＴＭ交換装置の構成を示すブロック図である。図４において、この実施形態のＡＴＭ交換装置は、第１の実施形態の入側回線ＩＦ部１００にＥＣＲを監視レートとしたセル流量監視（ ＵＰＣ：Usage Parameter Control）部４０１を付加したものである。なお、第１の実施形態と同様の構成要素には同一の付して示し、その構成要素については説明を省略する。
【００４４】
ＵＰＣ部４０１は、出側回線ＩＦ部１２０から通知され、ＴＭ抽出部１０４で抽出されたＥＣＲが与えられると、そのＥＣＲを順方向セル流量監視レートとして動的に更新し、その監視レートに従って流量監視を行い、監視レートを越えた分のデータセルを廃棄してスイッチ手段１１０に与えないものである。
【００４５】
（Ｂ−２）  動作の説明
次に、このような構成を有するＡＴＭ交換装置の動作について、第１の実施形態と異なる点を中心に図４を参照しながら説明する。
【００４６】
入側回線ＩＦ部１００では、スイッチ部１１０からＴＭ生成部１２４で生成されたＴＭセルが与えられると、ＴＭ抽出部１０４によって、そのＴＭセルのデータが抽出されてＢＲＭ生成部１０２とＵＰＣ部４０１に与えられる。
【００４７】
ＵＰＣ部４０１では、ＴＭ抽出部１０４から与えられたＥＣＲが順方向セル流量監視レートとして動的に更新され、その監視レートに従って入側の回線からのデータセル流の流量監視が行われ、監視レートを越えたデータセルに対しては廃棄されることになる。
【００４８】
（Ｂ−３）  効果の説明
以上のように、第２の実施形態によれば、ＭＣＲ以下での通信品質を保証するが送信端末および受信端末間でＲＭセルのやり取りをしないサービスを提供した際に、本体スイッチ部１１０あるいは出側シェーパ部１２３で廃棄される許容不可能な通信速度のセルをスイッチ部に入る前のＵＰＣ部４０１で監視廃棄することで、スイッチ部１１０、シェーパ部１２３の負荷を低減することができる。
【００４９】
（Ｃ）  第３の実施形態
以下、本発明による交換装置を、ＡＢＲサービスを提供するＡＴＭネットワークでＶＤ／ＶＳ構成をとるＡＴＭ交換装置に適用した第３の実施形態について、図面を参照しながら詳述する。
【００５０】
（Ｃ−１）  構成の説明
図５は、この実施形態のＡＴＭ交換装置の構成を示すブロック図である。図５において、この実施形態のＡＴＭ交換装置は、第１の実施形態の出側回線ＩＦ部１２０に入力セル流の入力レートを計測する入力レート計測部５２１を付加したものである。なお、第１の実施形態と同様の構成要素には同一の付して示し、その構成要素については説明を省略する。
【００５１】
入力レート計測部５２１は、スイッチ部１１０からの入力セル数をカウントすることにより入力セル流の瞬時レートを計算し、計算した入力セルレートＩＲをＡＣＲ計算部１２６に与えるものである。なお、ＡＣＲ計算部１２６では、ＢＲＭ抽出部１２１からのＣＩ、ＮＩ、ＥＣＲによる計算結果と、入力レート計測部５２１によるＩＲの小さい方をＡＣＲとする。
【００５２】
（Ｃ−２）  動作の説明
次に、このような構成を有するＡＴＭ交換装置の動作について、第１の実施形態と異なる点を中心に図５を参照しながら説明する。
【００５３】
入力レート計測部５２１では、スイッチ部１１０からの入力セル数をカウントすることにより入力セル流の瞬時レートが計算され、計算された入力セルレートＩＲがＡＣＲ計算部１２６に与えられる。
【００５４】
一方、出側の回線から、逆方向ＢＲＭセルが到来すると、ＢＲＭ抽出部１２１によって、そのＢＲＭセルペイロードが抽出されてＡＣＲ計算部１２６に出力される。
【００５５】
ここで、ＡＣＲ計算部１２６では、ＢＲＭ抽出部１２１からのＣＩ、ＮＩ、ＥＣＲによる計算結果と、入力レート計測部５２１によるＩＲの小さい方をＡＣＲとしてＡＣＲが計算される。
【００５６】
なお、計算されたＡＣＲは、ＦＲＭ生成部１２２とシェーパ部１２３とＴＭ生成部１２４とに与えられ、以後は第１の実施形態と同様の動作が行われることになる。
【００５７】
（Ｃ−３）  効果の説明
以上のように、第３の実施形態によれば、ＭＣＲ以下での通信品質を保証するが送信端末および受信端末間でＲＭセルのやり取りをしないサービスを提供した際に、出側シェーパ部１２３での読出しレート（ＡＣＲ）に対して送信端末の送信レートが小さくてもシェーパ部１２３の読出しレートを入力レートに設定するため、出側シェーパ部１２３での読出しレートに対して送信端末の送信レートが小さい場合にシェーパ部１２３が空セルを出力するためネットワークリソースを有効に利用できないという欠点を解消することができる。
【００５８】
（Ｄ）  他の実施形態
第１の実施形態に対し、第２の実施形態で付加したＵＰＣ部２０１と第３の実施形態で付加した入力レート計測部３２１との双方を設けた構成のものであっても良い（図６参照）。なお、この場合には、第２及び第３の実施形態の双方の効果を得ることができる。
【００５９】
また、上記各実施形態では、ＴＭ生成部１２４で生成したＴＭセルをスイッチ部１１０を介して入側回線ＩＦ部１００に与えるものを示したが、スイッチ部１１０を介すことなく、また、ＴＭセルを生成することなく、ＴＭ生成部１２４でＴＭセルに書き込むＥＣＲデータをそのまま入側回線部１００に与えるものであっても良い。なお、この場合、ＴＭセルもスイッチ部１１０を介さないので、さらにスイッチ部１１０の負荷が低減する。
【００６０】
さらに、上記各実施形態では、ＡＢＲサービスを提供し、ＲＭセルをやり取りしてトラヒック制御を行うＡＴＭ交換装置に本発明を適用したものを示したが、ＡＢＲサービスに限定することなく、また、ＲＭセルに限定することなく、すなわち、出側回線ＩＦ部１２０でしか得ることができない所定の出側情報を入側回線ＩＦ部１００に与え、入側回線ＩＦ部１００では、送信側に対し情報を授受するための専用のセル（なお、本明細書ではこのセルを「情報授受セル」という）にその所定の出側情報を付して返送するものであっても良い。
【００６１】
【発明の効果】
以上のように、本発明によれば、送信側からデータセルが入力される入側回線に対しインタフェースを行う入側回線インタフェース手段と、受信側へデータセルを出力する出側回線に対しインタフェースを行う出側回線インタフェース手段と、前記入側回線インタフェース手段と前記出側回線インタフェース手段とが授受するデータセルを交換するスイッチ手段とを備える交換装置において、（１）前記出側回線インタフェース手段は、所定の出側情報を前記入側回線インタフェース手段に与え、（２）前記入側回線インタフェース手段は、入側回線から、送信側との間で情報の授受を行うための送信側情報授受セルが与えられると、前記出側回線インタフェース手段から与えられた所定の出側情報を少なくとも有する送信側情報授受セルを生成して返送するので、出側回線インタフェース手段で得られる所定の出側情報を入側回線インタフェース手段に得るために、入側回線インタフェース手段と出側回線インタフェース手段との間で、その出側情報の依頼及び通知を行うための資源管理セルをスイッチ手段を介してやり取りする必要がなくなり、スイッチ手段が輻輳状態になっても、入側回線インタフェース手段において所定の出側情報が与えられて、送信側に対し送信側情報授受セルを授受することができる。
【図面の簡単な説明】
【図１】第１の実施形態のＡＴＭ交換装置の構成を示すブロック図である。
【図２】従来のＡＴＭ交換装置の構成例を示すブロック図である。
【図３】ＲＭセルのフォーマットを示すイメージ図である。
【図４】第２の実施形態のＡＴＭ交換装置の構成を示すブロック図である。
【図５】第３の実施形態のＡＴＭ交換装置の構成を示すブロック図である。
【図６】第１の実施形態のＡＴＭ交換装置に、第２の実施形態で付加したＵＰＣ部２０１と第３の実施形態で付加した入力レート計測部３２１との双方をＡＴＭ交換装置の構成を示すブロック図である。
【符号の説明】
１００…入側回線ＩＦ部、１１０…スイッチ部、１２０…出側回線ＩＦ部。
【図１】
0003636425.tif 000002
【図２】
0003636425.tif 000003
【図３】
0003636425.tif 000004
【図４】
0003636425.tif 000005
【図５】
0003636425.tif 000006
【図６】
0003636425.tif 000007